(57)【要約】【課題】本発明は、多通貨を組み合わせて変動リスクを分散し、これらの為替変動によるリスク軽減を図る外国為替取引システムを提供する。【解決手段】本発明の外国為替取引システムは、為替取引業者コンピュータ１と、外国為替市場コンピュータ１０と、金融機関コンピュータ２０とを通信網Ｎ１，Ｎ２で接続し、多通貨組み合わせによる外国為替取引を実行する多通貨組み合わせによる外国為替取引システムであって、特定代理人の紹介による有限数の代理店及び各代理店の紹介による有限数ずつ複数段階にわたる代理店群との契約に基づいて、各代理店投資による多通貨組み合わせ資金による外国為替取引の資金運用を行い、各代理店投資による資金運用により生じるスワップポイントを定期的に集計演算し、集計演算により求めた総スワップポイントに対する予め定めた割合の特定代理人への還元手数料を定期的に演算し、演算により求めた還元手数料を定期的に特定代理人の指定口座へ送金処理するようにしたものである。【選択図】図１
2005242589.tif 000002
【特許請求の範囲】
【請求項１】
為替取引業者コンピュータ装置と、外国為替市場コンピュータ装置と、金融機関コンピュータ装置とを通信網で接続し、多通貨組み合わせによる外国為替取引を実行する多通貨組み合わせによる外国為替取引システムであって、
前記為替取引業者コンピュータ装置は、前記外国為替市場コンピュータ装置と接続して、
前記多通貨組み合わせによる外国為替取引を希望する特定代理人の紹介による有限数の代理店及び各代理店の紹介による有限数ずつ複数段階にわたる代理店群との契約に基づいて、各代理店投資による多通貨組み合わせ資金による外国為替取引の資金運用の実行と、
前記資金運用の結果生じる各代理店投資による資金運用により生じるスワップポイントの定期的な集計演算の実行と、
前記集計演算により求めた総スワップポイントに対する予め定めた割合の特定代理人への還元手数料の定期的な演算とを実行し、
更に、前記為替取引業者コンピュータ装置は、金融機関コンピュータ装置との接続により、
前記演算により求めた総スワップポイントに対する還元手数料を定期的に特定代理人の指定口座への送金処理の実行を行うこと、
を特徴とする多通貨組み合わせによる外国為替取引システム。
【請求項２】
為替取引業者コンピュータ装置と、外国為替市場コンピュータ装置と、金融機関コンピュータ装置とを通信網で接続し、多通貨組み合わせによる外国為替取引を実行する多通貨組み合わせによる外国為替取引システムであって、
前記為替取引業者コンピュータ装置は、前記外国為替市場コンピュータ装置と接続して、
前記多通貨組み合わせによる外国為替取引を希望する特定代理人の紹介による最大１０店以上の代理店及び各代理店の紹介による２店以上の複数店ずつ６段階にわたる６２０店以上の代理店群との契約に基づいて、合計６３０店以上からなる各代理店投資による多通貨組み合わせ資金による外国為替取引の資金運用の実行と、
前記資金運用の結果生じる各代理店投資による資金運用により生じるスワップポイントの月毎又は年毎の定期的な集計演算の実行と、
前記集計演算により求めた総スワップポイントに対する予め定めた３％の特定代理人への還元手数料の月毎又は年毎に定期的な演算の実行とを行い、
更に、前記為替取引業者コンピュータ装置は、金融機関コンピュータ装置との接続により、
前記演算により求めた総スワップポイントに対する還元手数料を定期的に特定代理人の指定口座への送金処理の実行を行うこと、
を特徴とする多通貨組み合わせによる外国為替取引システム。
【請求項３】
前記多通貨組み合わせは、米国ドル／円、ユーロ／円、英ポンド／円、豪ドル／円、ニュージーランドドル／円、カナダドル／円、ノルウェークローネ／円、スウェーデンクローネ／円、ユーロ／米ドル、英ポンド／米ドル、米ドル／カナダドル、豪ドル／米ドル、ニュージーランドドル／米ドル、米ドル／ノルウェークローネ、米ドル／スウェーデンクローネ、ユーロ／英ポンド、ユーロ／カナダドル、ユーロ／豪ドル、ユーロ／ニュージーランドドル、ユーロ／スウェーデンクローネの中から選定されることを特徴とする請求項１又は２記載の多通貨組み合わせによる外国為替取引システム。
【請求項４】
特定代理人の紹介による有限数の代理店及び各代理店の紹介による有限数ずつ複数段階にわたる代理店群との契約に基づいて、各代理店投資による多通貨組み合わせ資金による外国為替取引の資金運用を行う過程と、
前記各代理店投資による資金運用により生じるスワップポイントを定期的に集計演算する過程と、
前記集計演算により求めた総スワップポイントに対する予め定めた割合の特定代理人への還元手数料を定期的に演算する過程と、
前記演算により求めた還元手数料を定期的に特定代理人の指定口座へ送金処理する過程と、
を含むことを特徴とする多通貨組み合わせによる外国為替取引方法。
【請求項５】
特定代理人の紹介による最大１０店以上の代理店及び各代理店の紹介による２店以上の複数店ずつ６段階にわたる６２０店以上の代理店群との契約に基づいて、合計６３０店以上からなる各代理店投資による多通貨組み合わせ資金による外国為替取引の資金運用を行う過程と、
前記各代理店投資による資金運用により生じる各通貨毎のスワップポイントを月毎又は年毎に定期的に集計演算する過程と、
前記集計演算により求めた総スワップポイントに対する予め定めた割合である３％の特定代理人への還元手数料を月毎又は年毎に演算する過程と、
前記演算により求めた還元手数料を定期的に特定代理人の指定口座へ送金処理する過程と、
を含むことを特徴とする多通貨組み合わせによる外国為替取引方法。
【請求項６】
前記多通貨組み合わせは、米国ドル／円、ユーロ／円、英ポンド／円、豪ドル／円、ニュージーランドドル／円、カナダドル／円、ノルウェークローネ／円、スウェーデンクローネ／円、ユーロ／米ドル、英ポンド／米ドル、米ドル／カナダドル、豪ドル／米ドル、ニュージーランドドル／米ドル、米ドル／ノルウェークローネ、米ドル／スウェーデンクローネ、ユーロ／英ポンド、ユーロ／カナダドル、ユーロ／豪ドル、ユーロ／ニュージーランドドル、ユーロ／スウェーデンクローネの中から選定されることを特徴とする請求項４又は５記載の多通貨組み合わせによる外国為替取引方法。
【発明の詳細な説明】
【技術分野】
【０００１】
本発明は、多通貨を組み合わせて変動リスクを分散し、これらの為替変動によるリスク軽減を図るに関するものである。
【背景技術】
【０００２】
従来、米ドル対円、英ポンド対円等の為替相場の変動を利用して資金運用を行う外国為替取引システムが種々実行されているが、単一の通貨取引による外国為替取引の場合には、従来型の訪問営業に特化されており顧客との信用維持の点で問題がある。
また、外国為替証拠金取引の場合には、繰り越し取引にる金利差益が顧客口座に積算され、取引終了時に返還されるが、単一の通貨取引の場合には追加資金を投入する事態が多々生じる点で、顧客満足度、営業効率の点で好ましくない事態が生じやすい。
【０００３】
特許文献１には、インターネットを利用し、端末から外国為替取引の注文を行い、外国為替取引を実行するようにした金融オーダーマネージメントシステムが提案されている。
【０００４】
しかし、この金融オーダーマネージメントシステムの場合、複数の通貨による外国為替取引の内容が一覧形式で紹介可能になっているものの、多通貨を組み合わせて変動リスクを分散し、これらの為替変動によるリスク軽減を図るようには構成されてはいない。
すなわち、多通貨を組み合わせ方式で少ないリスクの下に有効な金利差益を生み出す外国為替取引システムが存在しないのが実情である。
【特許文献１】特開２００３−５０９１２号公報
【発明の開示】
【発明が解決しようとする課題】
【０００５】
解決しようとする問題点は、多通貨を組み合わせて変動リスクを分散し、これらの為替変動によるリスク軽減を図る多通貨組み合わせによる外国為替取引システムが存在しない点である。
【課題を解決するための手段】
【０００６】
本発明は、為替取引業者コンピュータ装置と、外国為替市場コンピュータ装置と、金融機関コンピュータ装置とを通信網で接続し、多通貨組み合わせによる外国為替取引を実行する多通貨組み合わせによる外国為替取引システムであって、前記為替取引業者コンピュータ装置は、前記外国為替市場コンピュータ装置と接続して、多通貨組み合わせによる外国為替取引を希望する特定代理人の紹介による有限数の代理店及び各代理店の紹介による有限数ずつ複数段階にわたる代理店群との契約に基づいて、各代理店投資による多通貨組み合わせ資金による外国為替取引の資金運用の実行と、資金運用の結果生じる各代理店投資による資金運用により生じるスワップポイントの定期的な集計演算の実行と、集計演算により求めた総スワップポイントに対する予め定めた割合の特定代理人への還元手数料の定期的な演算とを実行し、更に、前記為替取引業者コンピュータ装置は、金融機関コンピュータ装置との接続により、演算により求めた総スワップポイントに対する還元手数料を定期的に特定代理人の指定口座への送金処理の実行を行うことを最も主要な特徴とする。
【発明の効果】
【０００７】
本発明によれば、以下の効果を奏する。
すなわち、本発明によれば、為替取引業者コンピュータ装置と、外国為替市場コンピュータ装置と、金融機関コンピュータ装置とを通信網で接続するシステム構成により、多通貨を組み合わせて、例えば５種の通貨を組み合わせて、特定代理人の紹介に基づく代理店群の投資による外国為替取引による資金運用を行うことで、個々の通貨の変動リスクを分散し、全体としてこれらの為替変動によるリスク軽減を図ることが可能となり、特定代理人における顧客満足度の向上、為替取引業者の営業効率の上昇を実現できる多通貨組み合わせによる外国為替取引システムを提供することができる。
【０００８】
また、本発明によれば、多通貨を組み合わせて、例えば５種の通貨を組み合わせて、特定代理人の紹介に基づく代理店群の投資による外国為替取引による資金運用を行うことで、個々の通貨の変動リスクを分散し、全体としてこれらの為替変動によるリスク軽減を図ることが可能となり、特定代理人における顧客満足度の向上、為替取引業者の営業効率の上昇を実現できる多通貨組み合わせによる外国為替取引方法を提供できる。
【０００９】
これらの場合、前記多通貨組み合わせとしては、米国ドル／円、ユーロ／円、英ポンド／円、豪ドル／円、ニュージーランドドル／円、カナダドル／円、ノルウェークローネ／円、スウェーデンクローネ／円、ユーロ／米ドル、英ポンド／米ドル、米ドル／カナダドル、豪ドル／米ドル、ニュージーランドドル／米ドル、米ドル／ノルウェークローネ、米ドル／スウェーデンクローネ、ユーロ／英ポンド、ユーロ／カナダドル、ユーロ／豪ドル、ユーロ／ニュージーランドドル、ユーロ／スウェーデンクローネの中から任意の通貨、任意の組み合わせ数を選定できる。
本発明はこれら以外の多通貨の組み合わせ運用にも適用できることは勿論である。
【発明を実施するための最良の形態】
【００１０】
多通貨を組み合わせて変動リスクを分散し、これらの為替変動によるリスク軽減を図るという目的を、為替取引業者コンピュータ装置と、外国為替市場コンピュータ装置と、金融機関コンピュータ装置とを通信網で接続し、多通貨組み合わせによる外国為替取引を実行する多通貨組み合わせによる外国為替取引システムであって、前記為替取引業者コンピュータ装置は、前記外国為替市場コンピュータ装置と接続して、多通貨組み合わせによる外国為替取引を希望する特定代理人の紹介による最大１０店以上の代理店及び各代理店の紹介による２店以上の複数店ずつ６段階にわたる６２０店以上の代理店群との契約に基づいて、合計６３０店以上からなる各代理店投資による多通貨組み合わせ資金による外国為替取引の資金運用の実行と、資金運用の結果生じる各代理店投資による資金運用により生じるスワップポイントの月毎又は年毎の定期的な集計演算の実行と、集計演算により求めた総スワップポイントに対する予め定めた３％の特定代理人への還元手数料の月毎又は年毎に定期的な演算の実行とを行い、更に、前記為替取引業者コンピュータ装置は、金融機関コンピュータ装置との接続により、演算により求めた総スワップポイントに対する還元手数料を定期的に特定代理人の指定口座への送金処理の実行を行う構成により達成した。
【実施例】
【００１１】
以下に、本発明の実施例を詳細に説明する。
本実施例の多通貨組み合わせによる外国為替取引システムは、図１に示すように、為替取引業者コンピュータ装置１と、外国為替市場コンピュータ装置１０と、金融機関コンピュータ装置２０とを、通信網Ｎ１，Ｎ２を介して接続することにより構成される。更に為替取引業者コンピュータ装置１には、通信網Ｎ３を介してこの為替取引業者コンピュータ装置１を備えた為替取引業者に資金運用を委託する特定代理店（個人）の特定代理店端末４０が接続される。
【００１２】
前記為替取引業者コンピュータ装置１は、主コンピュータ２と、各種情報の記憶蓄積を行うデータベース３と、前記特定代理店端末４０と接続される業者サーバ４と、前記金融機関コンピュータ装置２０と接続される金銭処理サーバ５とを有している。
【００１３】
前記外国為替市場コンピュータ装置１０は、為替市場コンピュータ１１と、処理端末１２とを有している。また、前記金融機関コンピュータ装置２０は、金融機関コンピュータ２１と、処理端末２２とを有している。
【００１４】
前記通信網Ｎ１乃至Ｎ３は、各々インターネット、専用回線等これら相互間でデータ通信を行うための通信回線により構成されている。
【００１５】
次に、本実施例の多通貨組み合わせによる外国為替取引システム処理の流れについて図２乃至図５を参照して更に詳述する。
まず、前記為替取引業者コンピュータ装置１を備えた為替取引業者に対して多通貨組み合わせによる資金運用を委託する特定代理店（個人）は、為替取引業者との間で取引契約を結ぶ（ステップＳ１）。
【００１６】
更に、為替取引業者は、前記特定代理店の紹介による有限数の代理店及び各代理店の紹介による有限数で、且つ、有限段階（レベル）の代理店群との間で取引契約を結ぶ（ステップＳ２）。例えば、図３に示すように、前記特定代理店の紹介による最大１０店以上の代理店及び各代理店の紹介による２店以上の複数店ずつ６段階にわたる合計６２０店以上の代理店群、従って総数６３０店以上の代理店群との間で取引契約を結ぶ。
【００１７】
なお、前記特定代理店の紹介による代理店数の数、各代理店の紹介による有限数の数、有限段階の数は、上述した場合の他、各々有限の任意数として実施可能である。
【００１８】
次に、前記為替取引業者は、為替取引業者コンピュータ装置１を使用し、外国為替市場コンピュータ装置１０と接続して前記特定代理店、代理店群の投資資金による資金運用を実行する（ステップＳ３）。
【００１９】
例えば、図２に示すように、前記特定代理店が、為替１ドル＝１１０円の時期にドル高／円安を予想して１０万米ドル（１００ユニット）の運用を為替取引業者に委託したとする。
前記為替取引業者は、為替１ドル＝１１０円としてドル買い／円売りで１０万米ドルを投資し、これを１ドル＝１２０円で決済した場合、為替差損益は（１２０−１１０）×１０万米ドル、このときのスワップポイントは１００円で（受け取りスワップ１０万米ドル＝１００円）、１月（３０日）当たりでは１００円×３０日＝３０００円となる。このような為替取引業者による資金運用は、前記代理店群における各代理店の投資資金に対しても各々同様に実行される。
【００２０】
次に、多通貨の組み合わせ運用について説明すると、対円取引のスワップポイント（受け取り）は、１０ユニット（１０，０００通貨単位）１日分で各通貨について以下の通りとなる。
米ドル／円                  ８円
ユーロ／円                ２８円
英ポンド／円              ７２円
豪ドル／円                ４０円
カナダドル／円            ２０円
ニュージーランドドル／円  ３６円
ノルウェークローネ／円      ２円
スウェーデンクローネ／円    ４円
【００２１】
これらの値を基に、例えば米ドル／円、ユーロ／円、英ポンド／円、豪ドル／円、ニュージーランドドル／円の５通貨の組み合わせによる各通貨２００ユニット（２００，０００通貨単位）ずつの資金を、上述した場合と同様に前記為替取引業者が為替取引業者コンピュータ装置１を使用して運用した場合、前記為替取引業者コンピュータ装置１の主コンピュータ２により演算される５通貨分集計の１ヶ月、１年間のスワップポイント（受け取り）は図４に示すようになる（ステップＳ４）。
【００２２】
このようなスワップポイントの集計演算は、前記特定代理店、前記代理店群（総数６３０店以上）の各代理店毎の投資資金に対して定期的（月毎又は年毎）に同様に行われる。
なお、上述した対円取引以外の多通貨の組み合わせ運用を例示すると以下の通りである。本発明はこれら以外の多通貨の組み合わせ運用にも適用できることは勿論である。
ユーロ／米ドル                １２円
英ポンド／米ドル              ５０円
米ドル／カナダドル            ３０円
豪ドル／米ドル                ２９円
ニュージーランドドル／米ドル  ２５円
米ドル／ノルウェークローネ      ９円
米ドル／スウェーデンクローネ  １９円
ユーロ／英ポンド              ２２円
ユーロ／カナダドル              ２円
ユーロ／豪ドル                ３３円
ユーロ／ニュージーランドドル  ３６円
ユーロ／スウェーデンクローネ    ９円
【００２３】
次に、為替取引業者コンピュータ装置１の主コンピュータ２は、前記代理店群（総数６３０店以上）についての総てのスワップポイントの集計結果を基に、特定代理人に対する還元手数料の演算を実行する（ステップＳ５）。
すなわち、前記特定代理人に対する還元手数料を予め３％とした場合、代理店１店につき１０５，０００円×０．０３より３，１５０円／月となり、例えば全代理店６３０店分では１９８，５００円／月となる。
また、１２月（１年）分では、２，３７６，０００円となる。なお、還元手数料の割合は、３％に限定されず、２％、４％、５％等種々に設定できる。
【００２４】
このようにして特定代理人に対する還元手数料を演算して求めた後、前記為替取引業者コンピュータ装置１の金銭処理サーバ５は、通信網Ｎ２を介して金融機関コンピュータ装置２０と接続し、当該還元手数料を定期的（例えば月末締めで翌月始め支払い又は１月末締めで翌年始め支払い等）に前記特定代理人の指定口座に支払い処理する（ステップＳ６）。
【００２５】
以上述べた一連の多通貨組み合わせによる一連の資金運用によって、各通貨の為替変動による変動リスクを分散することができ、これらの為替変動によるリスク軽減を図ることができる。
すなわち、本実施例によれば、為替取引業者コンピュータ１と、外国為替市場コンピュータ装置１０と、金融機関コンピュータ装置２０とを通信網Ｎ１，Ｎ２で接続するシステム構成により、多通貨を組み合わせて、例えば５種の通貨を組み合わせて、特定代理人の紹介に基づく代理店群の投資による外国為替取引による資金運用を行うことで、個々の通貨の変動リスクを分散し、全体としてこれらの為替変動によるリスク軽減を図ることが可能となり、特定代理人における顧客満足度の向上、為替取引業者の営業効率の上昇を実現できる多通貨組み合わせによる外国為替取引システム及び多通貨組み合わせによる外国為替取引方法を提供できる。
【産業上の利用可能性】
【００２６】
本発明における多通貨組み合わせとしては、米国ドル／円、ユーロ／円、英ポンド／円、豪ドル／円、ニュージーランドドル／円、カナダドル／円、ノルウェークローネ／円、スウェーデンクローネ／円、ユーロ／米ドル、英ポンド／米ドル、米ドル／カナダドル、豪ドル／米ドル、ニュージーランドドル／米ドル、米ドル／ノルウェークローネ、米ドル／スウェーデンクローネ、ユーロ／英ポンド、ユーロ／カナダドル、ユーロ／豪ドル、ユーロ／ニュージーランドドル、ユーロ／スウェーデンクローネの中から任意の通貨、任意の組み合わせ数を選定することができ、これにより、世界中の広範な通貨の為替変動を巧みに利用して顧客満足度の向上、為替取引業者の営業効率の上昇を図ることができる。前述したように、本発明は上述した以外の多通貨の組み合わせ運用にも適用できることは勿論である。
【図面の簡単な説明】
【００２７】
【図１】本発明の実施例における外国為替取引システムの構成を示す概略図である。
【図２】本実施例における米ドル／円の場合の為替変動差益を示す説明図である。
【図３】本実施例における特定代理店及びその紹介による有限の代理店群を示す説明図である。
【図４】本実施例における多通貨組み合わせによるスワップポイントの集計演算例を示す図である。
【図５】本実施例における外国為替取引システムを使用した外国為替取引方法の処理の流れを示すフローチャートである。
【符号の説明】
【００２８】
１    為替取引業者コンピュータ装置
２    主コンピュータ
３    データベース
４    業者サーバ
１０    外国為替市場コンピュータ装置
１１    為替市場コンピュータ
１２    処理端末
２０    金融機関コンピュータ装置
２１    金融機関コンピュータ
２２    処理端末
Ｎ１  通信網
Ｎ２  通信網
Ｎ３  通信網
【図１】
2005242589.tif 000003
【図２】
2005242589.tif 000004
【図３】
2005242589.tif 000005
【図４】
2005242589.tif 000006
【図５】
2005242589.tif 000007